(57)【要約】      （修正有）【課題】モジュールが装着された際に、研磨又は破壊作業を行うことなく、モジュールとの係合状態の確認、或いは、モジュールを収容する収容部の底面とフックの自由先端部間の高さ寸法の測定を容易に行う。【解決手段】コネクタ本体１１０は、上方からカメラモジュールが挿入される凹状の収容部１１２を囲む方形箱状に形成され、収容部１１２内に、カメラモジュールの端子と電気的に接続される端子部１４０が配設されている。コネクタ本体１１０の周壁部の一側壁部から収容部１１２内に突出するロック部材１５０は、カメラモジュールが収容された際に、先端部１５２が、カメラモジュールの底面と係合する。コネクタ本体１１０は、ロック部材１５０の自由先端部１５２と底面との係合状態を外方から視認可能な窓部を有する。【選択図】図１
2008219160.tif 000002
【特許請求の範囲】
【請求項１】
上方からカメラモジュールが挿入される凹状の収容部を囲む方形箱状に形成され、前記収容部内に、前記カメラモジュールの端子と電気的に接続される端子部が配設されるコネクタ本体と、
前記収容部を囲む前記コネクタ本体の周壁部のうち少なくとも一側壁部から前記収容部内に突出して設けられ、前記カメラモジュールが挿入される際に、前記収容部の離間方向に弾性変形するとともに、前記収容部に前記カメラモジュールが収容された際に、前記収容部内に復帰して、先端部が、前記カメラモジュールにおいて上方に臨む係合面上に位置して、当該係合面と係合する抜け止め部材とを有し、
前記コネクタ本体は、前記一側壁部と隣り合う他側壁部に、復帰した前記抜け止め部材の先端部と前記係合面との係合状態を外方から視認可能な窓部を有するカメラモジュールコネクタ。
【請求項２】
前記窓部を有する前記他側壁部は、前記収容部の底面を外方から視認可能な底面窓部が形成されている請求項１記載のカメラモジュールコネクタ。
【請求項３】
前記端子部は、前記収容部内の底面から前記収容部内に弾性変形可能に突出して配設され、当該収容部内に収容される前記カメラモジュールを上方に付勢する弾性部材により形成され、
前記抜け止め部材の先端部は、前記端子部により上方に付勢される前記係合面に係合する請求項１記載のカメラモジュールコネクタ。
【請求項４】
前記コネクタ本体には、前記収容部の底面側における前記端子部の接続状態を外方から視認可能な端子部用窓部が形成されている請求項１記載のカメラモジュールコネクタ。
【発明の詳細な説明】
【技術分野】
【０００１】
本発明は、カメラモジュールを接続するカメラモジュールコネクタに関する。
【背景技術】
【０００２】
従来、カメラモジュールなどの電子部品であるモジュールを接続するコネクタでは、例えば、特許文献１に示すように、モジュールを収容する収容部内に突出して、収容部内のモジュールの抜け止めを行うバネフックが設けられている。
【０００３】
図１０及び図１１は、従来のコネクタの説明に供する図であり、図１０は従来のコネクタの構成の説明に供する、コネクタと、コネクタに装着されるモジュールを示す概略縦断面図、図１１は図１０に示すコネクタにモジュールが装着された状態を示す概略縦断面図である。
【０００４】
図１０及び図１１に示すコネクタ１０は、組み込まれたモジュール２０を機器に取り付けるものである。
【０００５】
詳細には、コネクタ１０は、上方に開口し、モジュール２０を組み込む収容部１１を有するハウジング１２と、収容部１１の内面に基板２１の接触パッドと電気的に接触する接触子片（図示省略）と、モジュール２０の係合部２２に係合するバネフック１３とを有する。
【０００６】
バネフック１３は、ハウジング１２の外周面を被覆するように設けられたシールドケース１４から収容部１１内に延ばされてなる。このバネフック１３における収容部１１内の自由先端側は、ハウジング１２の上端から底部１０ａ側に向かって傾斜し、収容部１１の中心側に向かって突出されている。
【０００７】
このコネクタ１０に装着されるモジュール２０は、携帯電話等に実装するカメラモジュールであり、底面に基板２１が取り付けられた概略四角形のモジュール本体２３の上部にレンズ部２４が設けられている。また、モジュール本体２３のコーナ部近傍には、モジュール本体２３の途中から上面までを連続して切り欠くことによって係合部２２が形成されている。なお、基板２１は、接触子片と接続する複数の接触パッド（図示せず）を有する。
【０００８】
このように構成されたモジュール２０をコネクタ１０の上方から収容部１１内に落とし込むように組み込むと、モジュール２０の下面の下方への押圧によって、バネフック１３は、弾性変形して外側に逃がされる。
【０００９】
そして、モジュール２０が収容部１１内の所定の位置まで挿入されると、バネフック１３の自由先端１３ａが、基板の接触パッドと接触子片とが接触した状態で、係合部２２の係合面２２ａ、すなわちモジュール２０の上面に係合する（図１１参照）。これにより、コネクタ１０には、抜け止めされた状態でモジュール２０が装着される。
【特許文献１】特開２００６−３７４４３号公報
【発明の開示】
【発明が解決しようとする課題】
【００１０】
ところで、従来のコネクタでは、モジュール形状に対応したハウジングの収容部内にモジュールを落とし込む、つまり挿入する構造であるため、組み立て作業の際に必須の作業である、バネフックとモジュールの係合部との係合状態を確認する作業、或いは、コネクタの底面（収容部の底面）からフックの自由先端までの高さ寸法を測定する作業を行うことができない。
【００１１】
このため、バネフックと係合部との係合状態を確認する際には、モジュールを装着した状態のコネクタを複数用意し、その中からランダムにコネクタを抜き出し、抜き出したコネクタにおいて、図１１に示すような係合部分の断面を露出させ、係合部分の確認、或いは、コネクタの底面からフックの自由先端１３ａまでの高さ寸法の測定を行っている。
【００１２】
この係合部分の確認或いは、高さ寸法測定の為に係合部分を露出させる際には、抜き出したコネクタにおいて、装着されたモジュールをコネクタ自体に樹脂などで固定し、コネクタの側面を研磨又は破壊することによって行うため、その確認作業、或いは、測定作業には手間がかかるという問題があった。
【００１３】
本発明はかかる点に鑑みてなされたものであり、カメラモジュールが装着された際に、研磨又は破壊作業を行うことなく、カメラモジュールとの係合状態の確認、或いは、カメラモジュールを収容する収容部の底面とフックの自由先端部間の高さ寸法の測定を容易に行うことができるカメラモジュールコネクタを提供することを目的とする。
【課題を解決するための手段】
【００１４】
本発明のカメラモジュールコネクタは、上方からカメラモジュールが挿入される凹状の収容部を囲む方形箱状に形成され、前記収容部内に、前記カメラモジュールの端子と電気的に接続される端子部が配設されるコネクタ本体と、前記収容部を囲む前記コネクタ本体の周壁部のうち少なくとも一側壁部から前記収容部内に突出して設けられ、前記カメラモジュールが挿入される際に、前記収容部の離間方向に弾性変形するとともに、前記収容部に前記カメラモジュールが収容された際に、前記収容部内に復帰して、先端部が、前記カメラモジュールにおいて上方に臨む係合面上に位置して、当該係合面と係合する抜け止め部材とを有し、前記コネクタ本体は、前記一側壁部と隣り合う他側壁部に、復帰した前記抜け止め部材の先端部と前記係合面との係合状態を外方から視認可能な窓部を有する構成を採る。
【発明の効果】
【００１５】
本発明によれば、カメラモジュールが装着された際に、研磨又は破壊作業を行うことなく、カメラモジュールとの係合状態の確認、或いは、カメラモジュールを収容する収容部の底面と抜け止め部材における先端部間の高さ寸法の測定を容易に行うことができる。
【発明を実施するための最良の形態】
【００１６】
以下、本発明の実施の形態について、図面を参照して詳細に説明する。
【００１７】
（実施の形態１）
図１は、本発明の実施の形態１に係るコネクタの構成を示す斜視図である。
【００１８】
図１に示すコネクタ１００は、カメラモジュール２００（図４参照）を収容する凹状の収容部１１２を備えたコネクタ本体１１０と、収容部１１２内に突出して、収容部１１２内のカメラモジュール２００と係合し、当該モジュール２００の抜け止めを行うロック部材（抜け止め部材）１５０と、ロック部材１５０とカメラモジュール２００との係合状態を確認する窓部１７０とを有する。
【００１９】
コネクタ本体１１０は、一端側で開放する収容部１１２を有し、方形箱状、言い換えれば、枡形状に形成されたハウジング１２０を、シールドケース１３０で被覆することにより形成されている。
【００２０】
ハウジング１２０は、合成樹脂等の絶縁材からなり、収容部１１２の底面を形成する底面部１２２の周縁部には、底面部１２２から、収容部１１２の内方に向かって上方に突出する複数の端子部１４０がそれぞれ並設されている。
【００２１】
これら複数の端子部１４０は、収容部１１２に収容されるカメラモジュール２００（図４参照）の端子に接続されるものであり、ここでは、カメラモジュール２００（図４参照）の底面に配設された端子に対応して形成されている。
【００２２】
複数の端子部１４０は、それぞれ導電性を有する金属板により形成され、ハウジング１２０の底面部１２２の周縁部から傾斜して上方に突出させた突出アーム部１４２の先端に連続して接点部１４４が設けられている。
【００２３】
突出アーム部１４２は、ハウジング１２０の周壁部１２４と底面部１２２との接続部分に形成された複数のスリットを介して、収容部１１２内に突出している。
【００２４】
なお、この突出アーム部１４２は、収容部１１２を囲む周壁部１２４内において、当該周壁部１２４の鉛直方向のほぼ中央から、底面部１２２の周縁に向かって延びる支持アーム部１４６の先端から、収容部１１２内方に向かって延びるように形成されている。
【００２５】
すなわち、突出アーム部１４２は、金属板において、支持アーム部１４６となる部位の先端をＶ字状に折曲することによって形成される。
【００２６】
また、突出アーム部１４２は、支持アーム部１４６とともに可撓性を有し弾性変形可能であり、基端部を支点に、先端の接点部１４４を、下方に移動自在に形成している。
【００２７】
なお、支持アーム部１４６は、周壁部内で保持される図示しない基部の一端部に連続して形成されており、この基部には、その他端部からハウジング１２０の底面外方へ延出するリード部１４８が形成されている。このリード部１４８は、コネクタ１００自体が実装される基板の端子に接続される。
【００２８】
また、接点部１４４は、突出アーム部１４２の先端に、側面視略水平に位置する平面状に形成され、カメラモジュール２００（図４参照）の端子に対して、面接触して導通する。
【００２９】
つまり、端子部１４０の接点部は上方から押圧されると、上方に付勢した状態で下方に移動し、押圧する部位に対して互いに押圧した状態で接触する。
【００３０】
このように接点部１４４は、押圧方向に対して、押圧方向と抗する方向に付勢されており、ここではカメラモジュール２００（図４参照）の挿入方向と押圧される方向とが同一方向としている。このため、カメラモジュール２００（図４参照）を収容部１１２内に挿入するだけで、接点部は、カメラモジュール２００（図４参照）の端子と互いに押圧しあう状態で確実に接続されるものとなる。
【００３１】
なお、本実施の形態のコネクタ１００では、ハウジング１２０に配設される端子部１４０は、先端に接点部１４４が設けられた突出アーム部１４２を、収容部１１２の底面から上方に突出した構成としたが、これに限らない。例えば、ハウジング１２０において、収容部１１２を形成する周壁部１２４から収容部１１２内に弾性変形して後退自在に突出する構成としてもよい。すなわち、端子部１４０は、ハウジング１２０に、接続されるモジュールの端子と水平方向で接触するように配設されてもよい。
【００３２】
図２は、図１に示すコネクタのＸ−Ｘ線断面図である。
【００３３】
端子部１４０が配設されたハウジング１２０では、図１及び図２に示すように、周壁部１２４のうち対向する一対の側壁部１２５は、内面側に、弾性変形したロック部材１５０が退避する退避部１２６を有する。
【００３４】
退避部１２６は、側壁部１２５において、収容部１１２内に突出するロック部材１５０の裏面側の部位に形成され、カメラモジュール２００（図４参照）が収容部１１２に挿入される際に収容部１１２内から後退するロック部材１５０を収容する。
【００３５】
なお、ここでは、退避部１２６は、側壁部１２５におけるロック部材１５０の裏面側の部位に、上部に上方及び収容部１１２側に開口する溝状に形成されている。
【００３６】
このように形成される退避部１２６は、周壁部のうち対向する一対の側壁部１２５のそれぞれにおいて横方向で離間する両側部に配置されている。これにより、一方の側壁部１２５に形成された退避部１２６は、収容部１１２を介して、対向する側壁部１２５の退避部１２６と互いに対向している。
【００３７】
退避部１２６が形成された側壁部１２５と隣り合う側壁部（隣接側壁部）１２７には、シールドケース１３０の窓用開口部１７２とともに窓部１７０を形成する切欠溝部１７４が設けられている。
【００３８】
この切欠溝部１７４は、側壁部１２７において、内面及び外面を連通し、退避部１２６に対して収容部１１２側に離間して対向配置されるロック部材１５０を臨む位置に形成されている。
【００３９】
ここでは、切欠溝部１７４は、側壁部１２７に、挿入方向と直交する切欠方向がロック部材１５０の位置する方向と一致するように形成されている。
【００４０】
なお、この切欠溝部１７４が形成されたハウジング１２０の側壁部１２７には、切欠溝部１７４の鉛直下方に、収容部１１２の底面から突出する突出アーム部１４２の基端部の側方に位置する連通口１７６（図２参照）が形成されている。
【００４１】
ロック部材１５０は、側壁部１２５から収容部１１２内方に突出され、自由先端部１５２を、収容部１１２に収容されるモジュールの一部（後述する係止溝部２３０の底面２３２）の上方に配置させることによって、当該一部を上方から押さえるものである。
【００４２】
ロック部材１５０は、収容部１１２内に、挿入方向と交差する方向、ここでは、挿入方向と直交する方向（水平方向）に突出し、退避部１２６の上端側から下方にかつ、対向する側壁部側に向かって傾斜して配設されている。
【００４３】
具体的には、図１及び図２に示すように、ロック部材１５０は、ハウジング１２０を被覆するシールドケース１３０おいて、側壁部１２５の外面を被覆する被覆側壁部１３２の上端部に連続する上面部１３３の一部を基端部とし、当該基端部から、収容部１１２内方に向かって下方に傾斜して延出されている。なお、側壁部１２５は、被覆側壁部１３２とでコネクタ本体１１０の一側壁部を構成している。
【００４４】
ここでは、ロック部材１５０は、弾性変形可能な可撓性を有する部材により、被覆側壁部１３２の長手方向に沿った幅広の長尺平板状に形成されている。ロック部材１５０の自由先端部１５２は、収容部１１２に収容された際のカメラモジュール２００（図４参照）における一部と線接触するように形成されている。
【００４５】
また、このロック部材１５０の自由先端部１５２は、上面部の一部を構成する基端部から、収容部１１２内に突出したロック本体部１５４の先端を折曲することによって、側壁部１２５の内面から離間する位置で、側壁部１２５の内面とほぼ平行となるように形成されている。
【００４６】
このように構成されるロック部材１５０は、基端部が接続される側壁部側に、弾性変形するため、収容部１１２にカメラモジュール２００（図４参照）を組み込むために、収容部１１２内にカメラモジュール２００（図４参照）が挿入されると、カメラモジュール２００（図４参照）によって、側壁面側に変形して退避部１２６内に移動する。これにより自由先端部１５２は、収容部１１２側に付勢された状態で、摺動するカメラモジュール２００（図４参照）を線接触で押圧することにより当該カメラモジュール２００（図４参照）と係合する。
【００４７】
また、ロック部材１５０の自由先端部１５２の配設位置は、図２に示すように、収容部１１２内にカメラモジュール２００（図４参照）が収容された際に、カメラモジュール２００（図４参照）の上面の一部と係合する位置であり、底面に対して高さ寸法Ａ分、上方に離間する位置としている。なお、この高さ寸法Ａを測定することで、カメラモジュール２００（図４参照）を装着した際の、カメラモジュール２００（図４参照）との係合状態を管理する。
【００４８】
本実施の形態では、このロック部材１５０は、シールドケース１３０の被覆側壁部１３２から延在されており、薄板状の導電性の金属板を折曲してシールドケース１３０を製作する際に、当該シールドケース１３０とともに形成される。
【００４９】
シールドケース１３０（シェル）は、ハウジング１２０の形状に対応した矩形枠状に形成され、ハウジング１２０の周壁部を被覆する方形筒状の被覆周壁部１３１と、ハウジング１２０の周壁部の上面を被覆する上面部１３３とを有する。
【００５０】
なお、シールドケース１３０は、固定爪部１３６をハウジング１２０の上面の固定口に挿入し、被覆周壁部１３１の一壁部に形成された固定口１３７をハウジング１２０の固定爪部１２９に係止させて、ハウジング１２０に対して、外嵌した状態で固定されている。
【００５１】
被覆周壁部１３１は、ハウジング１２０の周囲を四方で囲み、且つ、当該ハウジング１２０の周壁部１２４の外面に沿って配置される。なお、被覆周壁部１３１と周壁部１２４とでコネクタ本体１１０の周壁部を形成している。
【００５２】
被覆周壁部１３１のうち、ハウジング１２０の側壁部１２７の外面を被覆する被覆側壁部１３４には、切欠溝部１７４と連通し、当該切欠溝部１７４とともに窓部１７０を形成する窓用開口部１７２と、下辺部に、当該下辺部に沿って形成されるとともに、ハウジング１２０の連通口１７６と連通する下辺開口部１７３とが形成されている。なお、被側壁部１３４は、側壁部１２７とでコネクタ本体１１０の他側壁部を構成している。
【００５３】
図３は、本発明の実施の形態１に係るコネクタの側面図である。
【００５４】
図３に示すように、窓用開口部１７２は、ケース側壁部において、ロック部材１５０の自由先端部１５２の幅方向に配置され、コネクタの側方から、自由先端部１５２に臨む位置に形成されている。つまり、この窓用開口部及び切欠溝部１７４より形成される窓部１７０は、自由先端部１５２の移動方向と直交する方向に配置されている。
【００５５】
下辺開口部１７３は、端子部１４０のリード部１４８が導出されるとともに、ハウジング１２０の側壁部１２７の連通口１７６を介して、端子部１４０の突出アーム部１４２の基端部を、シールドケース１３０の外方に露出させる。すなわち、下辺開口部１７３は、連通口１７６とで、収容部１１２の底面及び、底面側における端子部１４０の接続状態を外方から視認可能な底面用窓部１９０を構成している。
【００５６】
これにより、端子部１４０の突出アーム部１４２の基端部が、下辺開口部１７３及び連通口１７６を介して、シールドケース１３０の側方に臨むこととなり、シールドケース１３０の側方から、収容部１１２の底面の位置を視認させることができる。
【００５７】
また、シールドケース１３０における上面部１３３は、被覆周壁部１３１の上部に連続して設けられ、収容部１１２の周囲に配置された平面視矩形枠状をなしている。
【００５８】
なお、この上面部１３３の一部を基端部として、シールドケース１３０にロック部材１５０が連続して形成されている。
【００５９】
図４〜図６は、本発明の実施の形態１に係るコネクタに、カメラモジュールを装着した状態を示す図であり、図４は、カメラモジュールが装着された状態のコネクタの斜視図、図５は、同コネクタの断面図、図６は、同コネクタの側面図である。
【００６０】
なお、本実施の形態のコネクタ１００に装着されるモジュールであるカメラモジュール２００は、携帯電話機、デジタルカメラ等に実装される回路部品である。図４及び図５に示すカメラモジュール２００は、モジュール本体２１０と、モジュール本体２１０の上面側に突出して設けられた円柱状のレンズ部２２０とを有する。
【００６１】
モジュール本体２１０は、コネクタ１００の収容部１１２形状に対応した方形状をなし、底面部には、図示しないが、内部に集積された半導体等の素子に接続される複数の端子が形成されている。これら複数の端子は、コネクタの複数の端子部１４０にそれぞれ接続されるものであり、ここでは、底面における周縁部に沿って、コネクタ１００における複数の端子部１４０と対応する位置に並べて配設されている。
【００６２】
また、モジュール本体２１０の上部の角部には、側方及び上方に開口し、コネクタ１００のロック部材１５０と係合する係止溝部２３０が設けられている。これら係止溝部２３０内に、ロック部材１５０が配置されることによって、係止溝部２３０とロック部材１５０とが係合し、カメラモジュール２００自体が、ハウジング１２０の収容部１１２に保持される。
【００６３】
コネクタ１００にカメラモジュール２００を組み込む場合、カメラモジュール２００の嵌合突起（図示省略）を、コネクタ１００の嵌合溝１０３の真上に位置させて、収容部１１２が開口する上方から挿入する。
【００６４】
すると、収容部１１２内に突出して配置されたロック部材１５０は、その上端部側から、カメラモジュール２００の底面部の縁部によって下方に押圧される。これにより、傾斜するロック本体部１５４の上面をカメラモジュール２００の底面部の縁部が摺動して、ロック部材１５０自体が、収容部１１２の外方に、つまり、押圧方向と直交する方向に押圧されて弾性変形し、退避部１２６内に退避する。
【００６５】
これにより、ロック本体部１５４の先端側に形成された自由先端部１５２も、収容部１１２の外方に後退して、退避部１２６側に移動し、カメラモジュール２００に対して収容部１１２への挿入の障害になることがない。
【００６６】
なお、ロック部材１５０は、ここでは、コネクタにおいて収容部１１２を仕切る一対の対向する側壁部（コネクタ本体１１０において側壁部１２５及び被覆側壁部１３２により構成される部分）において、それぞれ対向して配置されている。
【００６７】
このため、互いに対向するロック部材１５０では、傾斜するロック本体部１５４が、対向方向と直交する水平方向からみてＣ面加工された形状となり、カメラモジュール２００の下方への摺動を円滑に行わせることができる。
【００６８】
そして、自由先端部１５２が係止溝部２３０に到達すると、退避状態が解除され、抜け止め本体の復帰によって、付勢方向であるカメラモジュール２００本体側に突出し、係止溝部２３０内に配置される。
【００６９】
このとき、カメラモジュール２００は底面側から端子部１４０によって挿入方向に抗した方向に付勢されているため、係止溝部２３０内に配置される自由先端部１５２は、係止溝部２３０の底面２３２と線接触して係止溝部２３０と係合状態となる。
【００７０】
このようなロック部材１５０と係止溝部２３０との係合によって、コネクタは、カメラモジュール２００の底面側で、コネクタの端子部１４０をカメラモジュール２００の端子に押圧して電気的に接続させた状態で保持する。
【００７１】
つまり、コネクタでは、カメラモジュール２００は、挿入方向とは逆方向、つまり引き抜き方向に押圧するコネクタの端子部１４０と、引き抜き方向への移動を規制するロック部材１５０によって挟持された状態で保持される。
【００７２】
言い換えれば、コネクタの収容部１１２に、カメラモジュール２００を挿入することで組み込み、ロック部材１５０が係止溝部２３０と係合すると、コネクタの端子部１４０とカメラモジュール２００の端子とが接触した状態となる。
【００７３】
コネクタ１００は、コネクタ本体１１０において、ロック部材１５０と係止溝部２３０とが係合する係合位置、ここでは、弾性変形していない通常状態でのロック部材１５０における自由先端部のそれぞれの水平方向側方に、それぞれ対応する窓部１７０を備えている。
【００７４】
図６に示すように、自由先端部１５２は、窓部１７０を介して、コネクタ外方に臨むため、係止溝部２３０との係合状態を、コネクタの外方から視認させることができる。
【００７５】
図６では、側面部に形成された、左右２つの窓部１７０を介して、ロック部材１５０の自由先端部１５２と、当該自由先端部１５２と係合する係止面としての係止溝部２３０の底面２３２とが確認できる。ここでは、窓部１７０を介して、係止溝部２３０の底面２３２の上方に、当該係止面に係止するロック部材１５０の自由先端部が配置された状態が確認できる。これにより、カメラモジュール２００はコネクタに完全に嵌合して、電気的に接続された状態で安定的に保持されているものとみなす。
【００７６】
また、下辺開口部１７３の両端部分（図６では左右両端部分）において、連通口１７６を介して、端子部１４０の突出アーム部の基端部が外方に露出する。つまり、窓部１７０を介したロック部材１５０と係止溝部２３０との係合状態を確認できるとともに、下辺開口部１７３及び連通口１７６を介して、端子部１４０の突出アーム部１４２の基端部を視認できる。
【００７７】
これにより、コネクタ１００に対する研磨作業或いは破壊作業を行うことなく、コネクタ１００の外方から、端子部１４０の突出アーム部の基端部からロック部材１５０の自由先端部までの高さ寸法Ａの測定を行うことができる。
【００７８】
なお、下辺開口部１７３を介した、突出アーム部１４２の基端部の確認では、収容部１１２内にカメラモジュール２００が正確に収納されている場合、収容部１１２の底面上に配置されるカメラモジュール２００の底面部の角部も確認できる。
【００７９】
このように、本実施の形態のコネクタ１００では、カメラモジュール２００を装着した状態において、コネクタ自体を研磨、或いは破壊してロック部材１５０と係止溝部２３０との係合状態を露出させることなく、係合状態を確認することができる。
【００８０】
よって、ロック部材１５０と係止溝部２３０、言い換えれば、ロック部材１５０とカメラモジュール２００との係合状態の確認を、複数組み立てたカメラモジュール２００付きのコネクタ１００の中から抽出したサンプルのコネクタ自体を研磨或いは破壊して係合状態の確認作業を行うことがない。よって、確認作業に煩雑な手間をかけることなく、係合状態の確認作業を容易に行うことができる。
【００８１】
なお、コネクタにカメラモジュール２００を装着した後、側面部の窓部１７０を介して、ロック部材１５０と係止溝部２３０との係合状態を確認した際に、図７に示すような場合がある。
【００８２】
図７は、コネクタにおいて、カメラモジュール２００が装着された際に、ロック部材１５０が係合していない状態を示すコネクタの部分拡大図である。
【００８３】
図７に示すコネクタの窓部１７０の開口領域には、ロック部材１５０の自由先端部１５２が位置していない。この場合は、ロック部材１５０がカメラモジュール２００に対して完全に係合していないため、コネクタ１００にカメラモジュール２００が安定して装着されていないものとして確認させることができる。
【００８４】
このように、本実施の形態のコネクタ１００によれば、上方からカメラモジュール２００が挿入される凹状の収容部１１２を囲む方形箱状に形成され、収容部１１２内に、カメラモジュール２００の端子と電気的に接続される端子部１４０が配設されるコネクタ本体１１０と、収容部１１２を囲むコネクタ本体１１０の周壁部のうち少なくとも一側壁部から収容部１１２内に突出して設けられ、カメラモジュール２００が挿入される際に、収容部１１２の離間方向に弾性変形するととともに、収容部１１２にカメラモジュール２００が収容された際に、収容部１１２内に復帰して、先端部（自由先端部）１５２が、カメラモジュール２００において上方に臨む係合面２３２上に位置して、係合面（底面）２３２と係合する抜け止め部材（ロック部材）１５０と、コネクタ本体１１０において、一側壁部と隣り合う他側壁部に形成され、復帰した抜け止め部材１５０の先端部１５２と係合面２３２との係合状態を外方から視認可能な窓部１７０とを有するようにした。また、窓部１７０を有する他側壁部は、収容部１１２の底面を外方から視認可能な底面用窓部１９０が形成されている。
【００８５】
これにより、カメラモジュール２００が装着された際に、窓部１７０を介してコネクタ１００の側方から、カメラモジュール２００の底面２３２と、ロック部材１５０の自由先端部１５２との係合状態を視認できる。したがって、カメラモジュール２００が装着されたコネクタ１００自体を研磨又は破壊作業を行うことなく、カメラモジュール２００との係合状態の確認、或いは、収容部１１２の底面とロック部材１５０の自由先端部１５２間の高さ寸法の測定を容易に行うことができる。
【００８６】
なお、端子部１４０は、収容部１１２内の底面から収容部１１２内に弾性変形可能に突出して配設され、当該収容部１１２内に収容されるカメラモジュール２００を上方に付勢する弾性部材により形成され、抜け止め部材１５０の先端部１５２は、端子部１４０により上方に付勢される底面（係合面）２３２に係合するようにした。
【００８７】
これにより、収容部１１２内に収容されるカメラモジュール２００は、抜け止め部材１５０と、端子部１４０とにより挟持されることとなり、電気的に接続された状態で安定的に保持させることとなる。
【００８８】
（実施の形態２）
図８及び図９は、本発明の実施の形態２に係るコネクタの構成を示す図であり、図８は同コネクタの斜視図、図９は、同コネクタの側面図である。
【００８９】
なお、このコネクタ３００は、図１に示す実施の形態１に対応するコネクタ１００と同様の基本的構成を有しており、コネクタ１００の構成に加えて、端子部用窓部１８０を設けた点のみが異なる。よって、同一の構成要素には同一の符号を付し、その説明を省略する。また、コネクタ３００において、端子部用窓部１８０の開口方向に配置される端子部１４０については、便宜上、端子部１４０ａとして、端子部１４０ａでは、突出アーム部１４２ａの先端に接点部１４４ａが形成されているものとして説明する。
【００９０】
このコネクタ３００は、実施の形態１と同様に形成されたコネクタ本体１１０に、収容部１１２内に収容された端子と端子部１４０ａの接点部１４４ａとの接触部分を外方に露出させる端子部用窓部１８０を有する。この端子部用窓部１８０は、コネクタ本体１１０に形成され、収容部１１２の底面側における端子部１４０の接続状態を外方から視認可能にする。
【００９１】
端子部用窓部１８０は、ここでは、コネクタ本体１１０において、互いに対向して配置されるとともに、ロック部材１５０が配設される側壁部１１０ａ、１１０ｂに形成されている。
【００９２】
これら側壁部１１０ａ、１１０ｂは、それぞれ、ハウジング１２０の側壁部１２５に、シールドケース１３０の被覆側壁部１３２で被覆することによりなる。
【００９３】
詳細には、端子部用窓部１８０は、側壁部１２５の端子部用連通部１８２と、被覆側壁部１３２の端子部用切欠部１８４とにより形成されている。
【００９４】
端子部用連通部１８２は、退避部１２６が形成されたハウジング１２０の側壁部１２５において、退避部１２６の下方で、下辺部が底面部の底面で仕切られるとともに、側壁部を厚み方向（ここでは、水平方向）で貫通する。
【００９５】
端子部用連通部１８２は、側壁部１２５に、当該側壁部１２５と隣り合う側壁部１２７に沿って並んで配置された端子部１４０ａの接点部１４４ａの移動領域の側方で、且つ、開口面積が、当該移動領域と重なる位置に形成されている。
【００９６】
端子部用切欠部１８４は、側壁部１２５を被覆する被覆側壁部１３２に、端子部用連通部１８２と連通し、被覆側壁部１３２の外面側に開口してなる。
【００９７】
このようにコネクタ３００では、コネクタ１００と同様の構成に加えて、接点部１４４ａを外方に露出させる端子部用窓部１８０を有しているため、コネクタと同様の作用効果を得ることができることに加えて、この端子部用窓部１８０を介して、端子部１４０ａの接点部１４４ａの状態を確認できる。
【００９８】
すなわち、図９に示すように、端子部用窓部１８０によって、端子部１４０ａと、装着されたカメラモジュール２００の端子との接触状態を確認できるとともに、その端子部１４０ａの接点部１４４ａの高さ位置を確認できる。
【００９９】
したがって、収容部１１２でカメラモジュール２００を内嵌して装着したコネクタ３００に対して、サンプルとして抽出したカメラモジュール付きのコネクタ３００に対して、研磨或いは破壊作業を行うことなく、端子部１４０ａとカメラモジュール２００の端子との接触状態をコネクタ３００の側方から視認させることができる。
【０１００】
これにより、接点部１４４ａの底面からの距離、つまり、底面からの高さ寸法Ｂを測定できるとともに、この底面からの距離から端子部１４０ａの弾性変形度合いを確認できる。
【０１０１】
なお、この端子部用窓部１８０の位置及び大きさは、当該端子部用窓部１８０を介して外部に露出する接点部１４４ａに対応して形成されていれば、どのように形成されてもよい。本実施の形態では、端子部用窓部１８０は、側面視して、底面上における接点部の移動領域を含む大きさに形成されたものとしたが、これに限らず、カメラモジュール２００の端子と接触すべき位置のみを含む大きさに形成してもよい。
【０１０２】
なお、各実施の形態におけるロック部材１５０は、収容部１１２を挟み対向する一対の側壁部のそれぞれにおいて、横方向に離間する両端部に、側壁部間で互いに対向する位置に配設されている。
【０１０３】
つまり、各実施の形態におけるロック部材１５０は、収容部１１２を形成する対向面で互いに対向する位置に配設されている。よって、カメラモジュール２００は、ロック部材１５０により両側部のそれぞれにおいて対称で、且つ、モジュール本体２１０の四隅でロック部材１５０と係合することとなり、四隅でより確実に保持されることとなる。
【０１０４】
また、ロック部材１５０が係合するカメラモジュール２００の上面の一部は、本実施の形態では、カメラモジュール２００におけるモジュール本体２１０に形成された係止溝部２３０の底面２３２としたが、これに限らない。例えば、モジュール本体２１０の上端面と係合するものであってもよい。
【０１０５】
また、各実施の形態のコネクタでは、複数の端子部１４０の位置を、収容部１１２に収容されたカメラモジュール２００の端子と、カメラモジュール２００の底面側で接続する位置としたが、これに限らない。例えば、コネクタにおいて、複数の端子部１４０を、収容部１１２を囲むハウジング１２０の内壁面と対向する位置でカメラモジュール２００の端子と接続されるように配設した構成としてもよい。この場合、収容部１１２に収容するカメラモジュール２００では、端子は挿入方向に沿って配設した構成とする。
【０１０６】
また、本実施の形態のコネクタでは、４つのロック部材１５０によりカメラモジュール２００の抜け止めを行う構成としたが、ロック部材１５０の数は１つであってもよいし、２つ、３つ、４つ以上であっても良い。
【０１０７】
なお、上記本発明は、本発明の精神を逸脱しない限り、種々の改変をなすことができ、そして本発明が該改変させたものに及ぶことは当然である。
【産業上の利用可能性】
【０１０８】
本発明に係るカメラモジュールコネクタは、カメラモジュールが装着された際に、研磨又は破壊作業を行うことなく、カメラモジュールとの係合状態の確認、或いは、カメラモジュールを収容する驟雨要部の底面と抜け止め部材の自由先端間の高さ寸法の測定を容易に行うことができる効果を有し、携帯電話などの携帯端末においてカメラモジュールを装着するものとして有用である。
【図面の簡単な説明】
【０１０９】
【図１】本発明の実施の形態１に係るコネクタの構成を示す斜視図
【図２】図１に示すコネクタのロック部材を説明するためのＸ−Ｘ線断面図
【図３】本発明の実施の形態１に係るコネクタの側面図
【図４】カメラモジュールが装着されたコネクタの斜視図
【図５】同コネクタの断面図
【図６】同コネクタの側面図
【図７】カメラモジュールが装着された際に、ロック部材が係合していない状態を示すコネクタの部分拡大図
【図８】本発明の実施の形態２に係るコネクタの構成を示す斜視図
【図９】本発明の実施の形態２に係るコネクタの構成を示す側面図
【図１０】従来のコネクタの説明に供する図
【図１１】従来のコネクタの説明に供する図
【符号の説明】
【０１１０】
１００、３００  コネクタ
１１０  コネクタ本体
１１２  収容部
１２０  ハウジング
１２２  底面部
１２４  周壁部
１２５  側壁部
１２６  退避部
１２７  側壁部
１３０  シールドケース
１３１  周壁部
１３２  側壁部
１３３  上面部
１３４  側壁部
１４０、１４０ａ  端子部
１５０  ロック部材
１５２  自由先端部
１５４  ロック本体部
１７０  窓部
１７２  開口部
１７３  開口部
１７４  溝部
１７６  連通口
１８０  端子部用窓部
１８２  端子部用連通部
１８４  切欠部
１９０  底面用窓部
２００  カメラモジュール
２３０  係止溝部
２３２  底面
１１０ａ、１１０ｂ  側壁部
【図１】
2008219160.tif 000003
【図２】
2008219160.tif 000004
【図３】
2008219160.tif 000005
【図４】
2008219160.tif 000006
【図５】
2008219160.tif 000007
【図６】
2008219160.tif 000008
【図７】
2008219160.tif 000009
【図８】
2008219160.tif 000010
【図９】
2008219160.tif 000011
【図１０】
2008219160.tif 000012
【図１１】
2008219160.tif 000013